(57)【要約】  無線通信ネットワークにおけるローミングをサポートするための技術が記載されている。一設計においてホームネットワークから在圏ネットワークにローミングしているＵＥのためのＡＰＮおよび好ましいローミングプロトコルが取得され得る。ＡＰＮはＵＥによって要求されるデータサービスと関連付けられ得る。好ましいローミングプロトコルはＧＴＰ、ＭＩＰ、ＰＭＩＰなどであり得る。ＵＥのためのデータコネクティビティを提供する適切なネットワークエンティティがＡＰＮおよび好ましいローミングプロトコルに基づいて決定され得る。一設計においてネットワークエンティティは（ｉ）好ましいローミングプロトコルがＧＴＰであるならばホームネットワークのＰＤＮゲートウェイであり得るし、（ｉｉ）好ましいローミングプロトコルがＰＭＩＰまたはＭＩＰであるならばホームネットワークのホームエージェントであり得る。
2010535456.tif 000002
【特許請求の範囲】
【請求項１】
ホームネットワークから在圏ネットワークにローミングしているユーザ装置（ＵＥ）のためのアクセスポイント名（ＡＰＮ）および好ましいローミングプロトコルを取得することと、
前記ＡＰＮおよび前記好ましいローミングプロトコルに基づいて前記ＵＥのためのデータコネクティビティを提供するネットワークエンティティを決定することと
を具備する、無線通信ネットワークにおけるローミングをサポートする方法。
【請求項２】
前記ＡＰＮおよび前記好ましいローミングプロトコルを取得することは、
前記ＵＥまたは前記ホームネットワークのホーム加入者サーバ（ＨＳＳ）から前記ＡＰＮを受信することと、
前記ＨＳＳから前記好ましいローミングプロトコルを受信することと
を備える、請求項１の方法。
【請求項３】
前記好ましいローミングプロトコルに基づいて前記在圏ネットワークまたは前記ホームネットワークのパケットデータネットワーク（ＰＤＮ）ゲートウェイを選択することをさらに具備し、
前記ＵＥのためのデータコネクティビティは、前記ＰＤＮゲートウェイを介して提供される、
請求項１の方法。
【請求項４】
前記ネットワークエンティティを決定することは、
前記好ましいローミングプロトコルがＧＰＲＳトンネリングプロトコル（ＧＴＰ）であるならば、前記ネットワークエンティティとして前記ホームネットワークのパケットデータネットワーク（ＰＤＮ）ゲートウェイを選択することと、
前記好ましいローミングプロトコルがモバイルインターネットプロトコル（ＭＩＰ）またはプロキシモバイルインターネットプロトコル（ＰＭＩＰ）であるならば、前記ネットワークエンティティとして前記ホームネットワークのホームエージェント（ＨＡ）を選択することと
を備える、請求項１の方法。
【請求項５】
前記ネットワークエンティティを決定することは、
前記ＡＰＮおよび前記好ましいローミングプロトコルを備えるドメイン名システム（ＤＮＳ）クエリを送信することと、
前記ネットワークエンティティのアドレスを備えるＤＮＳレスポンスを受信することと
を備える、請求項１の方法。
【請求項６】
前記ＤＮＳクエリはＳＲＶクエリを備え、
前記好ましいローミングプロトコルは前記ＳＲＶクエリの中で明示的に提供される、
請求項５の方法。
【請求項７】
前記ＤＮＳクエリはＡクエリまたはＡＡＡＡクエリを備え、
前記好ましいローミングプロトコルはＡＰＮ名の中に埋め込まれる、
請求項５の方法。
【請求項８】
前記ＡＰＮおよび前記好ましいローミングプロトコルは、前記在圏ネットワークのモビリティ管理エンティティ（ＭＭＥ）によって取得され、
前記ネットワークエンティティを決定することは、前記ＡＰＮおよび前記好ましいローミングプロトコルに基づいて前記ネットワークエンティティとして前記ホームネットワークのパケットデータネットワーク（ＰＤＮ）ゲートウェイを発見することを備える、
請求項１の方法。
【請求項９】
前記ＡＰＮおよび前記好ましいローミングプロトコルは、前記在圏ネットワークのパケットデータネットワーク（ＰＤＮ）ゲートウェイまたはサービングゲートウェイによって取得され、
前記ネットワークエンティティを決定することは、前記ＡＰＮおよび前記好ましいローミングプロトコルに基づいて前記ネットワークエンティティとして前記ホームネットワークのホームエージェント（ＨＡ）を発見することを備える、
請求項１の方法。
【請求項１０】
前記ＡＰＮおよび前記好ましいローミングプロトコルは、前記ＵＥによって取得され、
前記ネットワークエンティティを決定することは、前記ＡＰＮおよび前記好ましいローミングプロトコルに基づいて前記ネットワークエンティティとして前記ホームネットワークのホームエージェント（ＨＡ）を発見することを備える、
請求項１の方法。
【請求項１１】
前記ＡＰＮは、前記ＵＥによって要求されるデータサービスと関連付けられている、請求項１の方法。
【請求項１２】
前記好ましいローミングプロトコルは、ＧＰＲＳトンネリングプロトコル（ＧＴＰ）、モバイルインターネットプロトコル（ＭＩＰ）、またはプロキシモバイルインターネットプロトコル（ＰＭＩＰ）である、請求項１の方法。
【請求項１３】
ホームネットワークから在圏ネットワークにローミングしているユーザ装置（ＵＥ）のためのアクセスポイント名（ＡＰＮ）および好ましいローミングプロトコルを取得し、前記ＡＰＮおよび前記好ましいローミングプロトコルに基づいて前記ＵＥのためのデータコネクティビティを提供するネットワークエンティティを決定するように構成された少なくとも１つのプロセッサを具備する、無線通信のための装置。
【請求項１４】
前記少なくとも１つのプロセッサは、前記ＵＥまたは前記ホームネットワークのホーム加入者サーバ（ＨＳＳ）から前記ＡＰＮを受信し、前記ＨＳＳから前記好ましいローミングプロトコルを受信するように構成された、請求項１３の装置。
【請求項１５】
前記少なくとも１つのプロセッサは、前記好ましいローミングプロトコルに基づいて前記在圏ネットワークまたは前記ホームネットワークのパケットデータネットワーク（ＰＤＮ）ゲートウェイを選択するように構成され、
前記ＵＥのためのデータコネクティビティは、前記ＰＤＮゲートウェイを介して提供される、
請求項１３の装置。
【請求項１６】
前記少なくとも１つのプロセッサが、前記好ましいローミングプロトコルがＧＰＲＳトンネリングプロトコル（ＧＴＰ）であるならば前記ネットワークエンティティとして前記ホームネットワークのパケットデータネットワーク（ＰＤＮ）ゲートウェイを選択し、前記好ましいローミングプロトコルがモバイルインターネットプロトコル（ＭＩＰ）またはプロキシモバイルインターネットプロトコル（ＰＭＩＰ）であるならば前記ネットワークエンティティとして前記ホームネットワークのホームエージェント（ＨＡ）を選択するように構成された、請求項１３の装置。
【請求項１７】
前記少なくとも１つのプロセッサが、前記ＡＰＮおよび前記好ましいローミングプロトコルを備えるドメイン名システム（ＤＮＳ）クエリを送信し、前記ネットワークエンティティのアドレスを備えるＤＮＳレスポンスを受信するように構成された、請求項１３の装置。
【請求項１８】
ホームネットワークから在圏ネットワークにローミングしているユーザ装置（ＵＥ）のためのアクセスポイント名（ＡＰＮ）および好ましいローミングプロトコルを取得するための手段と、
前記ＡＰＮおよび前記好ましいローミングプロトコルに基づいて前記ＵＥのためのデータコネクティビティを提供するネットワークエンティティを決定するための手段と
を具備する、無線通信のための装置。
【請求項１９】
前記ＡＰＮおよび前記好ましいローミングプロトコルを取得するための手段は、
前記ＵＥまたは前記ホームネットワークのホーム加入者サーバ（ＨＳＳ）から前記ＡＰＮを受信するための手段と、
前記ＨＳＳから前記好ましいローミングプロトコルを受信するための手段と
を備える、請求項１８の装置。
【請求項２０】
前記好ましいローミングプロトコルに基づいて前記在圏ネットワークまたは前記ホームネットワークのパケットデータネットワーク（ＰＤＮ）ゲートウェイを選択するための手段をさらに具備し、
前記ＵＥのためのデータコネクティビティは、前記ＰＤＮゲートウェイを介して提供される、
請求項１８の装置。
【請求項２１】
前記ネットワークエンティティを決定するための手段は、
前記好ましいローミングプロトコルがＧＰＲＳトンネリングプロトコル（ＧＴＰ）であるならば、前記ネットワークエンティティとして前記ホームネットワークのパケットデータネットワーク（ＰＤＮ）ゲートウェイを選択するための手段と、
前記好ましいローミングプロトコルがモバイルインターネットプロトコル（ＭＩＰ）またはプロキシモバイルインターネットプロトコル（ＰＭＩＰ）であるならば、前記ネットワークエンティティとして前記ホームネットワークのホームエージェント（ＨＡ）を選択するための手段と
を備える、請求項１８の装置。
【請求項２２】
前記ネットワークエンティティを決定するための手段は、
前記ＡＰＮおよび前記好ましいローミングプロトコルを備えるドメイン名システム（ＤＮＳ）クエリを送信するための手段と、
前記ネットワークエンティティのアドレスを備えるＤＮＳレスポンスを受信するための手段と
を備える、請求項１８の装置。
【請求項２３】
少なくとも１つのコンピュータに、ホームネットワークから在圏ネットワークにローミングしているユーザ装置（ＵＥ）のためのアクセスポイント名（ＡＰＮ）および好ましいローミングプロトコルを取得させるためのコードと、
前記少なくとも１つのコンピュータに、前記ＡＰＮおよび前記好ましいローミングプロトコルに基づいて前記ＵＥのためのデータコネクティビティを提供するネットワークエンティティを決定させるためのコードと
を具備する、コンピュータ可読媒体
を備える、コンピュータプログラム製品。
【請求項２４】
前記コンピュータ可読媒体は、
前記少なくとも１つのコンピュータに、前記好ましいローミングプロトコルがＧＰＲＳトンネリングプロトコル（ＧＴＰ）であるならば、前記ネットワークエンティティとして前記ホームネットワークのパケットデータネットワーク（ＰＤＮ）ゲートウェイを選択させるためのコードと、
前記少なくとも１つのコンピュータに、前記好ましいローミングプロトコルがモバイルインターネットプロトコル（ＭＩＰ）またはプロキシモバイルインターネットプロトコル（ＰＭＩＰ）であるならば、前記ネットワークエンティティとして前記ホームネットワークのホームエージェント（ＨＡ）を選択させるためのコードと
をさらに具備する、請求項２３のコンピュータプログラム製品。
【請求項２５】
ホームネットワークから在圏ネットワークにローミングしているユーザ装置（ＵＥ）のためのアクセスポイント名（ＡＰＮ）と、ＧＰＲＳトンネリングプロトコル（ＧＴＰ）が好ましいローミングプロトコルであるという表示とを取得することと、
前記ＡＰＮと、前記ＧＴＰが前記好ましいローミングプロトコルであるという表示とに基づいて前記ＵＥのためのデータコネクティビティを提供する前記ホームネットワークのパケットデータネットワーク（ＰＤＮ）ゲートウェイを決定することと
を具備する、無線通信ネットワークにおけるローミングをサポートする方法。
【請求項２６】
前記ＡＰＮと、前記ＧＴＰが前記好ましいローミングプロトコルであるという表示とを取得することは、
前記ＵＥまたは前記ホームネットワークのホーム加入者サーバ（ＨＳＳ）から前記ＡＰＮを受信することと、
前記ＨＳＳから前記ＧＴＰが前記好ましいローミングプロトコルであるという表示を受信することと
を備える、請求項２５の方法。
【請求項２７】
前記ＰＤＮゲートウェイを決定することは、
前記ＡＰＮと、前記ＧＴＰが前記好ましいローミングプロトコルであるという表示とを備えるドメイン名システム（ＤＮＳ）クエリを送信することと、
前記ＰＤＮゲートウェイのアドレスを備えるＤＮＳレスポンスを受信することと
を備える、請求項２５の方法。
【請求項２８】
前記在圏ネットワークのサービングゲートウェイに前記ＰＤＮゲートウェイのアドレスを送信することをさらに具備し、
前記サービングゲートウェイは、前記ＵＥ用のデータを伝送するために前記ＰＤＮゲートウェイとＧＴＰトンネルを確立する、
請求項２５の方法。
【請求項２９】
ホームネットワークから在圏ネットワークにローミングしているユーザ装置（ＵＥ）のためのアクセスポイント名（ＡＰＮ）と、プロキシモバイルインターネットプロトコル（ＰＭＩＰ）が好ましいローミングプロトコルであるという表示とを取得することと、
前記ＰＭＩＰが前記好ましいローミングプロトコルであるという表示に応じて前記在圏ネットワークのローカルパケットデータネットワーク（ＰＤＮ）ゲートウェイを選択することと、
サービングゲートウェイに前記ＡＰＮ、前記ＰＭＩＰが前記好ましいローミングプロトコルであるという表示、および前記ローカルＰＤＮゲートウェイのアドレスを送信することと
を具備し、
前記ローカルＰＤＮゲートウェイまたは前記サービングゲートウェイは、前記ＡＰＮと、前記ＰＭＩＰが前記好ましいローミングプロトコルであるという表示とに基づいて、前記ＵＥのためのデータコネクティビティを提供する前記ホームネットワークのホームエージェント（ＨＡ）を決定する、
無線通信ネットワークにおけるローミングをサポートするための方法。
【請求項３０】
前記ＡＰＮと、前記ＰＭＩＰが前記好ましいローミングプロトコルであるという表示とを取得することは、
前記ＵＥまたは前記ホームネットワークのホーム加入者サーバ（ＨＳＳ）から前記ＡＰＮを受信することと、
前記ＨＳＳから前記ＰＭＩＰが前記好ましいローミングプロトコルであるという表示を受信することと
を備える、請求項２９の方法。
【請求項３１】
ホームネットワークから在圏ネットワークにローミングしているユーザ装置（ＵＥ）から前記在圏ネットワークの第１のネットワークエンティティへアクセスポイント名（ＡＰＮ）を備えるメッセージを送信することと、
前記ＵＥのための前記ＡＰＮおよび好ましいローミングプロトコルに基づいて決定された、前記ホームネットワークの第２のネットワークエンティティを介してデータを交換することと
を具備する、無線通信ネットワーク間でローミング中にデータコネクティビティを取得する方法。
【請求項３２】
前記第２のネットワークエンティティは、前記ＡＰＮと、前記好ましいローミングプロトコルであるＧＰＲＳトンネリングプロトコル（ＧＴＰ）とに基づいて決定されたパケットデータネットワーク（ＰＤＮ）ゲートウェイである、請求項３１の方法。
【請求項３３】
前記第２のネットワークエンティティは、前記ＡＰＮと、前記好ましいローミングプロトコルであるプロキシモバイルインターネットプロトコル（ＰＭＩＰ）とに基づいて決定されたホームエージェント（ＨＡ）である、請求項３１の方法。
【請求項３４】
ホームネットワークから在圏ネットワークにローミングしているユーザ装置（ＵＥ）から前記在圏ネットワークの第１のネットワークエンティティへアクセスポイント名（ＡＰＮ）を備えるメッセージを送信し、前記ＵＥのための前記ＡＰＮおよび好ましいローミングプロトコルに基づいて決定された前記ホームネットワークの第２のネットワークエンティティを介してデータを交換するように構成された少なくとも１つのプロセッサを具備する、無線通信のための装置。
【請求項３５】
前記第２のネットワークエンティティが、前記ＡＰＮと、前記好ましいローミングプロトコルであるＧＰＲＳトンネリングプロトコル（ＧＴＰ）とに基づいて決定されたパケットデータネットワーク（ＰＤＮ）ゲートウェイである、請求項３４の装置。
【請求項３６】
前記第２のネットワークエンティティは、前記ＡＰＮと、前記好ましいローミングプロトコルであるプロキシモバイルインターネットプロトコル（ＰＭＩＰ）とに基づいて決定されたホームエージェント（ＨＡ）である、請求項３４の装置。
【請求項３７】
ホームネットワークから在圏ネットワークにローミングしているユーザ装置（ＵＥ）からローカル接続のためのアクセスポイント名（ＡＰＮ）を備えるメッセージを、前記メッセージに応じて前記在圏ネットワークのローカルパケットデータネットワーク（ＰＤＮ）ゲートウェイを選択する前記在圏ネットワークのネットワークエンティティに送信することと、
前記ローカルＰＤＮゲートウェイへのトンネルを確立する前記在圏ネットワークのサービングゲートウェイとの接続を確立することと、
前記ＡＰＮと、ローミングプロトコルであるモバイルインターネットプロトコル（ＭＩＰ）とに基づいて前記ＵＥのためのデータコネクティビティを提供する前記ホームネットワークのホームエージェント（ＨＡ）を決定することと
を具備する、無線通信ネットワーク間でローミング中にデータコネクティビティを取得する方法。
【請求項３８】
前記ホームエージェントとＭＩＰトンネルを確立することと、
前記ＭＩＰトンネル、前記サービングゲートウェイとの前記接続、および前記サービングゲートウェイと前記ローカルＰＤＮゲートウェイとの間の前記トンネルを介してデータを交換することと
をさらに具備する、請求項３７の方法。
【請求項３９】
前記ホームエージェントを決定することは、
前記ＡＰＮと、ＭＩＰが前記ローミングプロトコルであるという表示とを備えるドメイン名システム（ＤＮＳ）クエリを送信することと、
前記ホームエージェントのアドレスを備えるＤＮＳレスポンスを受信することと
を備える、請求項３７の方法。
【請求項４０】
ホームネットワークから在圏ネットワークにローミングしているユーザ装置（ＵＥ）からローカル接続のためのアクセスポイント名（ＡＰＮ）を備えるメッセージを、前記メッセージに応じて前記在圏ネットワークのローカルパケットデータネットワーク（ＰＤＮ）ゲートウェイを選択する前記在圏ネットワークのネットワークエンティティに送信し、前記ローカルＰＤＮゲートウェイへのトンネルを確立する前記在圏ネットワークのサービングゲートウェイとの接続を確立し、前記ＡＰＮと、ローミングプロトコルであるモバイルインターネットプロトコル（ＭＩＰ）とに基づいて前記ＵＥのためのデータコネクティビティを提供する前記ホームネットワークのホームエージェント（ＨＡ）を決定するように構成された少なくとも１つのプロセッサを具備する、無線通信のための装置。
【請求項４１】
前記少なくとも１つのプロセッサは、前記ホームエージェントとＭＩＰトンネルを確立し、前記ＭＩＰトンネル、前記サービングゲートウェイとの前記接続、および前記サービングゲートウェイと前記ローカルＰＤＮゲートウェイとの間の前記トンネルを介してデータを交換するように構成された、請求項４０の装置。
【請求項４２】
前記少なくとも１つのプロセッサは、前記ＡＰＮと、ＭＩＰが前記ローミングプロトコルであるという表示とを備えるドメイン名システム（ＤＮＳ）クエリを送信し、前記ホームエージェントのアドレスを備えるＤＮＳレスポンスを受信するように構成された、請求項４０の装置。
【発明の詳細な説明】
【技術分野】
【０００１】
本願は、「METHOD AND APPARATUS FOR INTER GW PROTOCOL SELECTION AND ROAMING CONFIGURATION」と題され、２００７年８月２日に出願され、本願の譲受人に譲渡され、参照によって本願に組み込まれる米国仮特許出願第６０／９５３，６７８号に対する優先権を主張する。
【０００２】
本開示は、一般的には通信に関し、より具体的には無線通信ネットワークにおけるローミングをサポートするための技術に関する。
【背景技術】
【０００３】
無線通信ネットワークは、音声、映像、パケットデータ、メッセージング、放送などの様々な通信サービスを提供するために、広範囲に配置されている。これらの無線ネットワークは、利用可能なネットワークリソースを共有することによって、多数のユーザをサポート可能な多元接続ネットワークであり得る。係る多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
ユーザ装置（ＵＥ）は、ＵＥがサービス加入を有するホームネットワークからローミングしていることがあり、在圏ネットワークと通信することがある。ＵＥは、１つまたは複数のデータサービスをサポートし得る。在圏ネットワークおよびホームネットワークは、それぞれいくつかのゲートウェイを含み得る。各ゲートウェイは、１つまたは複数のデータサービスおよび１つまたは複数のローミングプロトコルをサポートし得る。ローミング時にＵＥのためのデータコネクティビティを提供する適切なゲートウェイを迅速かつ効率的に選択することが望ましいことがある。
【発明の概要】
【０００５】
無線通信ネットワークにおけるローミングをサポートするための技術が、本願に記載されている。ＵＥは、１つまたは複数のアクセスポイント名（ＡＰＮ）と関連付けられた１つまたは複数のデータサービスを受信し得る。ホームネットワークは、１つまたは複数のパケットデータネットワーク（ＰＤＮ）ゲートウェイおよび／または１つまたは複数のホームエージェントを含み得る。各ＰＤＮゲートウェイおよび各ホームエージェントは、１つまたは複数のデータサービスおよび１つまたは複数のローミングプロトコル、例えばＧＰＲＳトンネリングプロトコル（ＧＴＰ）、モバイルインターネットプロトコル（ＭＩＰ）、プロキシモバイルインターネットプロトコル（ＰＭＩＰ）などをサポートし得る。ＵＥのためのＡＰＮおよび好ましいローミングプロトコルに基づいて適切なＰＤＮゲートウェイまたはホームエージェントが、ＵＥ用に選択され得る。
【０００６】
一設計において、ホームネットワークから在圏ネットワークにローミングしているＵＥのためのＡＰＮおよび好ましいローミングプロトコルが取得され得る。ＡＰＮは、ＵＥまたはホーム加入者サーバ（ＨＳＳ）から受信され得るし、ＵＥによって要求されるデータサービスと関連付けられ得る。好ましいローミングプロトコルは、ＨＳＳから受信され得るし、ＧＴＰ、ＭＩＰ、ＰＭＩＰなどであり得る。ＵＥのためのデータコネクティビティを提供する適切なネットワークエンティティは、ＡＰＮおよび好ましいローミングプロトコルに基づいて決定され得る。一設計において、ＡＰＮおよび好ましいローミングプロトコルを備えるドメイン名システム（ＤＮＳ）クエリが、ＤＮＳサーバへ送信され得る。このネットワークエンティティのアドレスを備えるＤＮＳレスポンスは、ＤＮＳサーバから受信され得る。一設計において、このネットワークエンティティは、好ましいローミングプロトコルがＧＴＰであるならばホームネットワークのＰＤＮゲートウェイであり得るし、好ましいローミングプロトコルがＭＩＰまたはＰＭＩＰであるならばホームネットワークのホームエージェントであり得る。
【０００７】
一設計において、在圏ネットワークのモビリティ管理エンティティ（ＭＭＥ）が、ＡＰＮおよび好ましいローミングプロトコル、例えばＧＴＰを取得してよい。ＭＭＥは、ＡＰＮおよび好ましいローミングプロトコルに基づいて、ホームネットワークのＰＤＮゲートウェイを発見し得る。別の設計において、在圏ネットワークのローカルＰＤＮゲートウェイまたはサービングゲートウェイが、ＡＰＮおよび好ましいローミングプロトコル、例えばＰＭＩＰを取得し得る。ローカルＰＤＮゲートウェイまたはサービングゲートウェイは、ＡＰＮおよび好ましいローミングプロトコルに基づいて、ホームネットワークのホームエージェントを発見し得る。さらに別の設計において、ＵＥが、ＡＰＮおよび好ましいローミングプロトコル、例えばＭＩＰを取得し得る。ＵＥは、ＡＰＮおよび好ましいローミングプロトコルに基づいて、ホームネットワークのホームエージェントを発見し得る。
【０００８】
本開示の様々な態様および特徴が、以下にさらに詳細に記述される。
【図面の簡単な説明】
【０００９】
【図１Ａ】図１Ａは、在圏ネットワークおよびホームネットワークの例示的配置を示す。
【図１Ｂ】図１Ｂは、在圏ネットワークおよびホームネットワークの例示的配置を示す。
【図２】図２は、ＧＴＰを用いてローミングをサポートするためのメッセージフローを示す。
【図３】図３は、ＰＭＩＰを用いてローミングをサポートするためのメッセージフローを示す。
【図４】図４は、ＭＩＰを用いてローミングをサポートするためのメッセージフローを示す。
【図５】図５は、無線ネットワークにおけるローミングをサポートするための処理を示す。
【図６】図６は、無線ネットワークにおけるローミングをサポートするための装置を示す。
【図７】図７は、ＧＴＰを用いてローミングをサポートするための処理を示す。
【図８】図８は、ＧＴＰを用いてローミングをサポートするための装置を示す。
【図９】図９は、ＰＭＩＰを用いてローミングをサポートするための処理を示す。
【図１０】図１０は、ＰＭＩＰを用いてローミングをサポートするための装置を示す。
【図１１】図１１は、ローミング中にデータコネクティビティを取得するための処理を示す。
【図１２】図１２は、ローミング中にデータコネクティビティを取得するための装置を示す。
【図１３】図１３は、ＭＩＰを用いてデータコネクティビティを取得するための処理を示す。
【図１４】図１４は、ＭＩＰを用いてデータコネクティビティを取得するための装置を示す。
【図１５】図１５は、ＵＥおよび様々なネットワークエンティティのブロック図を示す。
【発明を実施するための形態】
【００１０】
本願に記載される技術は、ＣＤＭＡ、ＴＤＭＡ、ＦＤＭＡ、ＯＦＤＭＡ、ＳＣ−ＦＤＭＡ、およびその他のネットワークなど、様々な無線通信ネットワークに使用され得る。「ネットワーク」および「システム」という用語は、交換可能に用いられることが多い。ＣＤＭＡネットワークは、ユニバーサル地上無線アクセス（ＵＴＲＡ）、ｃｄｍａ２０００などの無線技術を実装し得る。ＵＴＲＡには、広帯域ＣＤＭＡ（ＷＣＤＭＡ）およびＣＤＭＡのその他の変形が含まれる。ｃｄｍａ２０００には、ＩＳ−２０００規格、ＩＳ−９５規格、およびＩＳ−８５６規格が含まれる。ＴＤＭＡネットワークは、移動体通信用グローバルシステム（ＧＳＭ）などの無線技術を実装し得る。ＯＦＤＭＡネットワークは、Ｅｖｏｌｖｅｄ  ＵＴＲＡ（発展型ＵＴＲＡ、Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などの無線技術を実装し得る。ＵＴＲＡおよびＥ−ＵＴＲＡは、ユニバーサル移動体通信システム（ＵＭＴＳ）の一部である。３ＧＰＰロングタームエボリューション（ＬＴＥ）は、Ｅ−ＵＴＲＡを使用するＵＭＴＳの次に出るリリースであり、これはダウンリンク上でＯＦＤＭＡを、アップリンク上でＳＣ−ＦＤＭＡを使用する。ＵＴＲＡ、Ｅ−ＵＴＲＡ、ＵＭＴＳ、ＬＴＥ、およびＧＳＭは、「第三世代パートナーシッププロジェクト」（３ＧＰＰ）と名付けられた団体からの文書に記載されている。ｃｄｍａ２０００およびＵＭＢは、「第三世代パートナーシッププロジェクト２」（３ＧＰＰ２）と名付けられた団体からの文書に記載されている。明瞭にするために、この技術の特定の態様をＬＴＥに関して以下に説明し、以下の説明の大部分でＬＴＥの術語が使用される。
【００１１】
図１Ａは、在圏公衆地上移動体ネットワーク（ＶＰＬＭＮ）１００ａおよびホームＰＬＭＮ（ＨＰＬＭＮ）１０２ａの例示的配置を示している。ＰＬＭＮは、例えばＬＴＥネットワーク、ＵＭＴＳネットワーク、ＧＳＭネットワークなど、１つまたは複数の無線通信ネットワークを備え得る。ＶＰＬＭＮ１００ａおよびＨＰＬＭＮ１０２ａは、ローミング協定を持ち得る異なるネットワークオペレータによって配置され得る。
【００１２】
ＶＰＬＭＮ１００ａは、進化型ユニバーサル地上無線アクセスネットワーク（Ｅ−ＵＴＲＡＮ）１２０、ＭＭＥ１３０、およびサービングゲートウェイ（Ｓ−ＧＷ）１４０を含み得る。Ｅ−ＵＴＲＡＮ１２０は、ＵＥのために無線通信をサポートするｅＮＢ（evolved Node B）を含み得る。ｅＮＢは、ＵＥと通信する固定局であり得るし、Ｎｏｄｅ  Ｂ、基地局、アクセスポイントなどと呼ばれることもある。ＭＭＥ１３０は、ノンアクセスストラタム（ＮＡＳ）に対するシグナリングおよびセキュリティの制御、ＵＥの認証およびモビリティ管理、ＵＥ用のゲートウェイの選択、ベアラ管理機能など、様々な機能を行い得る。サービングゲートウェイ１４０は、Ｅ−ＵＴＲＡＮ１２０へ向かうインターフェースの終端をなし、ｅＮＢ間のハンドオーバのためのサポート、ＵＥのためのデータのバッファリング、ルーティングおよび転送、ネットワークトリガ型のサービス要求手順の開始、課金のためのアカウンティング機能など、様々な機能を実行し得る。Ｅ−ＵＴＲＡＮ１２０は、Ｓ１−ＭＭＥインターフェースを介してＭＭＥ１３０と、Ｓ１−Ｕインターフェースを介してサービングゲートウェイ１４０と通信し得る。ＭＭＥ１３０は、Ｓ１１インターフェースを介してサービングゲートウェイ１４０と通信し得る。ＤＮＳサーバ１３２は、ＰＤＮゲートウェイおよびホームエージェント、これらのインターネットプロトコル（ＩＰ）アドレス、ならびにこれらにサポートされるＡＰＮおよびローミングプロトコルのデータベースを格納し得る。ＤＮＳサーバ１３２は、ＶＰＬＭＮ１００ａの一部であるかもしれないし、またはＶＰＬＭＮの外にあるかもしれない。
【００１３】
ＨＰＬＭＮ１０２ａは、ＰＤＮゲートウェイ１７０およびＨＳＳ１８０を含み得る。ＰＤＮゲートウェイ１７０はパケットデータネットワーク１９０へ向かうＳＧｉインターフェースの終端をなし、パケットデータネットワーク１９０はインターネット、ホームネットワークオペレータのパケットデータネットワーク、またはホームネットワークオペレータの外の公的または私的なパケットデータネットワークであり得る。ＳＧｉは、データサービスを提供するための、ＰＤＮゲートウェイとパケットデータネットワークとの間の基準点である。ＰＤＮゲートウェイ１７０は、ＵＥのためのパケットフィルタリングおよびＩＰアドレスの割当て、サービスレベルのゲート制御およびレート強制、クライアントおよびサーバ用の動的ホスト設定プロトコル（ＤＨＣＰ）機能、ゲートウェイＧＰＲＳサポートノード（ＧＧＳＮ）機能性などの機能を行い得る。ＨＳＳ１８０は、ＨＰＬＭＮ１０２ａにサービス加入を持つＵＥの加入関連情報（例えばユーザプロファイル）および位置情報を格納し得る。ＨＳＳ１８０は、ＵＥの認証および許可を行い得るし、また要求するネットワークエンティティにＵＥの情報を提供し得る。ＨＳＳ１８０は、Ｓ６ａインターフェースを介してＭＭＥ１３０と通信し得る。ＰＤＮゲートウェイ１７０は、Ｓ５／Ｓ８インターフェースを介してサービングゲートウェイ１４０と通信し得る。
【００１４】
図１Ｂは、ＶＰＬＭＮ１００ｂおよびＨＰＬＭＮ１０２ｂの例示的配置を示している。ＶＰＬＭＮ１００ｂは、Ｅ−ＵＴＲＡＮ１２０、ＭＭＥ１３０、およびサービングゲートウェイ１４０を含み得るが、これらは図１Ａに関して前述している。ＶＰＬＭＮ１００ｂは、図１Ａの中のＰＤＮゲートウェイ１７０に関して前述した機能を実行し得るＰＤＮゲートウェイ１５０を更に含み得る。ＨＰＬＭＮ１０２ｂは、進化型パケットシステム（ＥＰＳ）ホームエージェント（ＨＡ）１６０およびＨＳＳ１８０を含み得る。ＥＰＳ  ＨＡ１６０は、ＨＰＬＭＮ１０２ｂからローミングしているＵＥの現在位置情報を管理し得るし、これらのＵＥのためにパケットをルーティングし得る。ＥＰＳ  ＨＡ１６０は、ホームエージェントとして専用のゲートウェイであるかもしれないし、ホームエージェントの機能性ならびに他の機能性を提供し得るゲートウェイであるかもしれない。
【００１５】
ＶＰＬＭＮ１００ａおよび１００ｂならびにＨＰＬＭＮ１０２ａおよび１０２ｂは、簡単にするために図１Ａおよび１Ｂに示していない他のネットワークエンティティを含み得る。図１Ａおよび１Ｂのネットワークエンティティは、他のシステムでは他の名前で参照され得る。例えばホームエージェントは、ローカルモビリティアンカ（ＬＭＡ）またはその他の名前で呼ばれ得る。ＶＰＬＭＮ１００ａおよび１００ｂならびにＨＰＬＭＮ１０２ａおよび１０２ｂの様々なネットワークエンティティは、「Evolved Universal Terrestrial Radio Access (E-UTRA) and Evolved Universal Terrestrial Radio Access Network (E-UTRAN); Overall description」と題された３ＧＰＰ  ＴＳ  ３６．３００、および「General Packet Radio Service (GPRS) enhancements for Evolved Universal Terrestrial Radio Access Network (E-UTRAN) access」と題された３ＧＰＰ  ＴＳ  ２３．４０１に記載されている。これらの文書は、３ＧＰＰから公的に入手可能である。以下の説明において、ＶＰＬＭＮ１００はＶＰＬＭＮ１００ａおよび／または１００ｂを指し得るし、ＨＰＬＭＮ１０２はＨＰＬＭＮ１０２ａおよび／または１０２ｂを指し得る。
【００１６】
図１Ａおよび１Ｂでは、ＵＥ１１０はＨＰＬＭＮ１０２を用いたサービス加入を持ち得るし、その加入関連情報をＨＳＳ１８０に格納し得る。ＵＥ１１０はローミングしていることがあり、ＶＰＬＭＮ１００においてＥ−ＵＴＲＡＮ１２０と通信することがある。ＵＥ１００は、インターネットコネクティビティ、ショートメッセージサービス（ＳＭＳ）、インスタントメッセージング（ＩＭ）、無線アプリケーションプロトコル（ＷＡＰ）のアクセス、マルチメディアストリーミング、マルチメディアメッセージングなど、１つまたは複数のデータサービスを受信可能であり得る。このデータサービスは、ＩＰマルチメディアサブシステム（ＩＭＳ）サービスとも呼ばれ得る。各データサービスはＡＰＮと関連付けられ得るし、ＡＰＮはＵＥが接続可能なＰＤＮ、データ接続に使用する一連の設定、データ接続のためのＵＥの設定などと関連付けられ得る。データ接続は、ＩＰアドレスで表されるＵＥとＡＰＮで表されるＰＤＮとの間の結合であり得る。データ接続は、ＩＰ接続、ＰＤＮ接続などとも呼ばれ得る。
【００１７】
ＡＰＮは、データサービスのためのＰＤＮゲートウェイまたはホームエージェントを選択するために使用される論理名に関する文字列で与えられ得る。様々なネットワークオペレータが、ＡＰＮを様々に定義し得る。例えばネットワークオペレータは、（ｉ）ネットワークオペレータを識別するオペレータ識別子（ＩＤ）と、（ｉｉ）ネットワークオペレータのルーティング情報を特定するネットワークＩＤとを含むように、ＡＰＮを定義し得る。またネットワークオペレータは、例えば「sms.xyz.com」など、サービスに基づいてＡＰＮを定義し得るが、この場合に「sms」はサービスを示し、「xyz」はネットワークオペレータ名である。一般にＡＰＮは、特定のデータサービスのためのＵＥのアタッチメントポイントを特定し得る。
【００１８】
ローミングしているＵＥのためのデータコネクティビティは、ＧＴＰ、ＭＩＰ、およびＰＭＩＰなど、様々なローミングプロトコルを用いてサポートされ得る。ＧＴＰは、３ＧＰＰネットワークで使用されるＩＰベースのローミングプロトコルであり、ＧＴＰ−ＣおよびＧＴＰ−Ｕを含む。ＧＴＰ−Ｃは、ネットワークエンティティ間（例えばサービングゲートウェイとＰＤＮゲートウェイとの間）のシグナリングに使用されて、ＵＥのセッションを作動、停止、および更新する。ＧＴＰ−Ｕは、Ｅ−ＵＴＲＡＮ１２０とネットワークエンティティとの間でＵＥのトラヒックデータを搬送するために使用される。
【００１９】
ＰＭＩＰは、ＵＥがモビリティに関連するシグナリングに参加することを必要とせずに、ＵＥのＩＰモビリティを可能にするネットワークベースのローミングプロトコルである。ネットワークはＰＭＩＰを用いて、ＵＥのためにＩＰモビリティを管理すること、ＵＥの移動を追跡すること、およびＵＥのために必要とされるモビリティシグナリングを開始することに関与する。
【００２０】
ＭＩＰは、ＵＥが不変のＩＰアドレスを維持しながらネットワークからネットワークへローミングできるようにするＵＥベースのローミングプロトコルである。ＵＥは、その現在位置にかかわらず、ＵＥのホームアドレスによって識別され得る。ローミング中、ＵＥは、ホームネットワークのホームエージェントに登録し得るし、現在のＵＥの位置に関する情報を与える気付（care-of）アドレスと関連付けられ得る。ＵＥのデータは、その後ホームエージェントを通じてルーティングされ得る。ＵＥはそのＩＰアドレスを変更することなくインターネットへのそのアタッチメントポイントを変更し得るが、このことはＵＥが移動中にトランスポート層および上位層の接続を維持できるようにし得る。
【００２１】
表１は、ＵＥ１１０のためのデータサービスに対してサポートされ得る様々なゲートウェイ／ローミングプロトコル間の設定を列挙している。
【表１】
2010535456.tif 000003
【００２２】
ＵＥ１１０は、１つまたは複数のＡＰＮと関連付けられた１つまたは複数のデータサービスを受信可能であり得る。各ＰＤＮゲートウェイおよび各ＥＰＳ  ＨＡは、１つまたは複数のデータサービスおよび１つまたは複数のローミングプロトコル、例えばＧＴＰ、ＰＭＩＰ、および／またはＭＩＰをサポートし得る。ＵＥ１１０に対して適切なＰＤＮゲートウェイまたはＥＰＳ  ＨＡを動的に決定すること、適切なゲートウェイ／ローミングプロトコル間の設定を選択すること、ならびにＵＥ１１０がＵＥの能力、ホームネットワークの能力、およびホームネットワークオペレータのポリシーに基づいて在圏ネットワークにアタッチするとき適切なＳＧｉ終端を選択することが、望ましいかもしれない。
【００２３】
一態様において、適切なＰＤＮゲートウェイまたはＥＰＳ  ＨＡが、ＵＥのためのＡＰＮおよび好ましいローミングプロトコルに基づいて、ローミングしているＵＥ１１０用に選択され得る。ＡＰＮは、望ましいデータサービスを示し得るし、ＵＥまたはＨＰＬＭＮによって提供され得る。好ましいローミングプロトコルは、ＵＥに使用されるように指定され得るし、ＵＥまたはＨＰＬＭＮによって提供され得る。
【００２４】
図２は、ＧＴＰを用いたローミングをサポートするためのメッセージフロー２００の設計を示している。明瞭にするために、ＵＥ１１０とＥ−ＵＴＲＡＮ１２０との間の通信は、図２では省略されている。メッセージフロー２００は、図１Ａに示すネットワークエンティティによって実行され得る。
【００２５】
ＵＥ１１０は、アタッチ要求メッセージをＥ−ＵＴＲＡＮ１２０に送信することによってアタッチ手順を開始し得るし、Ｅ−ＵＴＲＡＮ１２０はこのメッセージをＭＭＥ１３０に転送し得る（ステップ１）。このメッセージは、ＵＥの識別情報（例えば国際移動体加入者識別番号（ＩＭＳＩ）またはグローバル一意一時的識別番号（Globally Unique Temporary Identity、ＧＵＴＩ））、ＵＥの能力、ＰＤＮの型、セキュリティ情報などを含み得る。メッセージはまた、（図２に示すように）ＵＥ１１０に所望されるデータサービスのためのＡＰＮを含むかもしれないし、このＡＰＮを省略するかもしれない。ＵＥ１１０、ＭＭＥ１３０、およびＨＳＳ１８０は、その後認証手順を実行してＵＥ１１０を認証する（ステップ２）。ＨＳＳ１８０は、ＵＥ１１０の加入関連情報を格納し得るし、ＵＥ１１０に許可されるデータサービスおよび関連付けられたＡＰＮなどの情報を提供し得る。ＭＭＥ１３０は、ＵＥ１１０から（図２に示す）および／またはＨＳＳ１８０から（図２に示さず）ＡＰＮを受信し得る。またＭＭＥ１３０は、ＵＥ１１０をＨＰＬＭＮに接続するにはＧＴＰが好ましいローミングプロトコルであるという表示を、ＨＳＳ１８０から受信し得る（ステップ２）。ＧＴＰは、ＵＥの能力、ホームネットワークの能力、ホームネットワークオペレータのポリシー、および／または他の考慮すべき事項に基づいて選択され得る。
【００２６】
ＭＭＥ１３０は、ＵＥ１１０および／またはＨＳＳ１８０によって提供されるＡＰＮならびにＨＳＳ１８０によって提供されるＧＴＰという好ましいローミングプロトコルに基づいて、ＵＥ１１０に好適なＰＤＮゲートウェイを発見し得る（ステップ３）。ステップ３については、ＭＭＥ１３０はＡＰＮおよびＧＴＰを含むＤＮＳクエリを送信し得る。ＤＮＳクエリは、Ａクエリ、ＡＡＡＡクエリ、またはＳＲＶクエリであり得る。一設計において、ＡＰＮおよび好ましいローミングプロトコルは、例えばＳＲＶクエリの中でＧＴＰを明示的に指定することによって、別々に提供され得る。別の設計において、ＡＰＮおよび好ましいローミングプロトコルは、例えば完全修飾ドメイン名（ＦＱＤＮ）の装飾としてＧＴＰを指定することによって、合わせて提供され得る。例えばＦＱＤＮは、「gtp.ipv6.xyz.com」という文字列で与えられ得るが、ここで「gtp」はＧＴＰという好ましいローミングプロトコルを示し、「ipv6」はＵＥ１１０のデータ接続にＩＰｖ６を使用することを示し、「xyz」はデータ接続に使用するＰＤＮゲートウェイのドメイン名を示す。ＦＱＤＮは、ＩＰバージョン４（ＩＰｖ４）アドレスを取得するにはＡクエリの中で、ＩＰバージョン６（ＩＰｖ６）アドレスを取得するにはＡＡＡＡクエリの中で、送信され得る。さらに別の設計において、ＧＴＰはデフォルトオプションであってもよく、プレーンＡＰＮに基づくＦＱＤＮが使用されて、ＧＴＰをサポートするＰＤＮゲートウェイを発見し得る。いずれの場合においても、ＤＮＳサーバ１３２はＭＭＥ１３０からＤＮＳクエリを受信し得るし、ＰＤＮゲートウェイ１７０がＤＮＳクエリの中で提供されるＡＰＮおよびＧＴＰと関連付けられると判断し得る。ＤＮＳサーバ１３２は、次にＰＤＮゲートウェイ１７０のＩＰアドレスを含むＤＮＳレスポンスを返信し得る。
【００２７】
またＭＭＥ１３０は、ネットワークトポロジ（例えばサービングゲートウェイを変える可能性を小さくするため）、サービングゲートウェイ間の負荷バランスなどに基づいてサービングゲートウェイ１４０を選択し得る。ＭＭＥ１３０は、次にサービングゲートウェイ１４０にベアラ要求を送信し得る（ステップ４）。このメッセージは、ＵＥの識別情報、ＰＤＮゲートウェイのアドレス、ＡＰＮなどの関連情報を含み得る。サービングゲートウェイ１４０は、ＭＭＥ１３０から受信されるＰＤＮゲートウェイのアドレスを使用してＰＤＮゲートウェイ１７０と通信し得るし、ＵＥ１１０のためにＰＤＮゲートウェイ１７０とＧＴＰトンネルを確立し得る（ステップ５）。ＵＥ１１０はその後、このＧＴＰトンネルを使用してＰＤＮゲートウェイ１７０を介して外部エンティティとデータを交換し得る（ステップ６）。
【００２８】
図３は、ＰＭＩＰを用いたローミングをサポートするためのメッセージフロー３００の設計を示している。明瞭にするために、ＵＥ１１０とＥ−ＵＴＲＡＮ１２０の間の通信は、図３では省略されている。メッセージフロー３００は、図１Ｂに示すネットワークエンティティによって実行され得る。
【００２９】
ＵＥ１１０は、アタッチ要求メッセージをＥ−ＵＴＲＡＮ１２０に送信することによってアタッチ手順を開始し得るし、Ｅ−ＵＴＲＡＮ１２０はこのメッセージをＭＭＥ１３０に転送し得る（ステップ１）。メッセージは、ＵＥ１１０に所望のデータサービス用のＡＰＮを含むかもしれないし、含まないかもしれない。ＵＥ１１０、ＭＭＥ１３０、およびＨＳＳ１８０は、その後認証手順を実行してＵＥ１１０を認証する（ステップ２）。ＭＭＥ１３０は、ＵＥ１１０から（図２に示す）および／またはＨＳＳ１８０から（図２に示さない）ＡＰＮを受信し得る。またＭＭＥ１３０は、ＵＥ１１０をＨＰＬＭＮに接続するにはＰＭＩＰが好ましいローミングプロトコルであるという表示を、ＨＳＳ１８０から受信し得る（ステップ２）。ＭＭＥ１３０は、デフォルトのローカルＰＤＮゲートウェイであり得るＰＤＮゲートウェイ１５０を選択し得るし、サービングゲートウェイ１４０を選択し得る。
【００３０】
ＭＭＥ１３０は、次にサービングゲートウェイ１４０にベアラ要求を送信し得る（ステップ４）。このメッセージは、ＵＥの識別情報、ＰＤＮゲートウェイのアドレス、ＡＰＮ、ＰＭＩＰという好ましいローミングプロトコルなどの情報を含み得る。サービングゲートウェイ１４０は、ＭＭＥ１３０から受信されるＰＤＮゲートウェイのアドレスを使用してＰＤＮゲートウェイ１５０と通信し得るし、ＰＤＮゲートウェイ１７０とＧＴＰトンネルを確立し得る（ステップ６）。サービングゲートウェイ１４０は、ＧＴＰトンネルの確立中にＰＤＮゲートウェイ１５０に、ＡＰＮと、ＰＭＩＰという好ましいローミングプロトコルとを提供し得る（ステップ５）。
【００３１】
ＰＤＮゲートウェイ１５０は、サービングゲートウェイ１４０から受信されたＡＰＮと、ＰＭＩＰという好ましいローミングプロトコルとに基づいてＵＥ１１０のために適切なＥＰＳ  ＨＡを発見し得る（ステップ７）。ステップ７については、ゲートウェイ１５０はＡＰＮおよびＰＭＩＰを含むＤＮＳクエリを送信し得る。ＤＮＳサーバ１３２は、ＥＰＳ  ＨＡ１６０のＩＰアドレスを含むＤＮＳレスポンスを返信し得るが、このＩＰアドレスはＤＮＳクエリに含まれたＡＰＮおよびＰＭＩＰと関連付けられ得る。ＰＤＮゲートウェイ１５０は、次にＥＰＳ  ＨＡ１６０と通信してＵＥ１１０のためにＰＭＩＰトンネルを確立し得る（ステップ８）。ＵＥ１１０はその後、このＰＭＩＰトンネルを使用してＥＰＳ  ＨＡ１６０を介して外部エンティティとデータを交換し得る（ステップ９）。
【００３２】
図４は、ＭＩＰを用いたローミングをサポートするためのメッセージフロー４００の設計を示している。明瞭にするために、ＵＥ１１０とＥ−ＵＴＲＡＮ１２０との間の通信は、図４では省略されている。メッセージフロー４００は、図１Ｂに示すネットワークエンティティによって実行され得る。
【００３３】
ＵＥ１１０は、アタッチ要求メッセージをＥ−ＵＴＲＡＮ１２０に送信することによってアタッチ手順を開始し得るし、Ｅ−ＵＴＲＡＮ１２０はこのメッセージをＭＭＥ１３０に転送し得る（ステップ１）。メッセージは、ローカル接続のためのＡＰＮを含み得る。ＵＥ１１０、ＭＭＥ１３０、およびＨＳＳ１８０は、その後認証手順を実行してＵＥ１１０を認証する（ステップ２）。ＭＭＥ１３０は、ローカル接続がＵＥ１１０に許可されるという表示を、ＨＳＳ１８０から受信し得る（ステップ２）。ＵＥ１１０および／またはＨＳＳ１８０からのローカル接続の表示は、ＵＥ１１０にＭＩＰが使用されることを暗黙的に示し得る。ＭＭＥ１３０は、デフォルトのローカルＰＤＮゲートウェイであり得るＰＤＮゲートウェイ１５０を選択してもよいし、またサービングゲートウェイ１４０を選択してもよい（ステップ３）。
【００３４】
ＭＭＥ１３０は、次にサービングゲートウェイ１４０にベアラ要求を送信し得る（ステップ４）。このメッセージは、ＵＥの識別情報、ローカルＰＤＮゲートウェイのアドレスなどの情報を含み得る。ＵＥ１１０は、次にＥＵＴＲＡＮ１２０を介してサービングゲートウェイ１４０と通信して接続を確立し得る（ステップ５）。サービングゲートウェイ１４０は、ローカル設定に基づいてローカルＰＤＮゲートウェイ１５０とＧＴＰまたはＰＭＩＰトンネルを確立し得る（同じくステップ５）。
【００３５】
ＵＥ１１０は、ＵＥに既知のＡＰＮと、ＭＩＰという好ましいローミングプロトコルとに基づいて適切なＥＰＳ  ＨＡを発見し得る（ステップ６）。ステップ６については、ＵＥ１１０はＡＰＮおよびＭＩＰを含むＤＮＳクエリを送信し得る。ＤＮＳサーバ１３２は、ＥＰＳ  ＨＡ１６０のＩＰアドレスを含むＤＮＳレスポンスを返信し得るが、このＩＰアドレスは、ＤＮＳクエリに含まれているＡＰＮおよびＭＩＰと関連付けられ得る。ＵＥ１１０は、次にＥＰＳ  ＨＡ１６０と通信してＵＥ１１０のためのＭＩＰトンネルを確立し得る（ステップ７）。ＵＥ１１０はその後、このＭＩＰトンネルを使用してＥＰＳ  ＨＡ１６０を介して外部エンティティとデータを交換し得る（ステップ８）。
【００３６】
簡単にするために、図２から４はＵＥ１１０のためのデータ接続を確立するためのシグナリングのみを示している。ＵＥ１１０およびＥ−ＵＴＲＡＮ１２０は、ＵＥとＥ−ＵＴＲＡＮとの間の無線リンクを確立するためのシグナリングも交換してよい。また他の機能のために様々なネットワークエンティティ間で他のシグナリングが交換されてもよい。
【００３７】
本願に記載する動的なゲートウェイ選択技術は、図２から４に示すようにネットワークアタッチメントの間に使用され得る。この技術は、サービスの要求および／または他のシナリオのためにも使用され得る。
【００３８】
図２および３に示す設計において、ＨＳＳ１８０はサポートされるローミングプロトコル（例えばＧＴＰおよび／またはＰＭＩＰ）および好ましいローミングプロトコル（例えばＧＴＰまたはＰＭＩＰ）をＭＭＥ１３０に提供し得る。ＭＭＥ１３０またはその他のネットワークエンティティは、この情報を使用してＵＥ１１０に適切なＰＤＮゲートウェイまたはホームエージェントを選択し得る。
【００３９】
図２に示すように、ＧＴＰが好ましいローミングプロトコルである場合、ＭＭＥ１３０は、ＧＴＰをサポートしてＡＰＮによって識別されるデータサービスを提供可能なＨＰＬＭＮのＰＤＮゲートウェイを選択し得る。ＭＭＥ１３０は、例えばＡＰＮに基づきＤＮＳクエリを実行することによって、ＵＥ１１０および／またはＨＳＳ１８０によって提供されるＡＰＮに基づいて、このＰＤＮゲートウェイを発見し得る。
【００４０】
図３に示すように、ＰＭＩＰが好ましいローミングプロトコルである場合、ＭＭＥ１３０はＶＰＬＭＮにおけるデフォルトのローカルＰＤＮゲートウェイを選択し得る。ＭＭＥ１３０は、ＵＥ１１０に適切なＥＰＳ  ＨＡを発見するための情報（例えばＡＰＮ）を提供し得る。ローカルＰＤＮゲートウェイまたはサービングゲートウェイは、ＰＭＩＰをサポートし、ＡＰＮによって識別されるデータサービスを提供可能なＥＰＳ  ＨＡを発見するために、ＡＰＮに基づいてＤＮＳクエリを実行し得る。
【００４１】
図４に示すように、ＭＩＰが好ましいローミングプロトコルである場合、ＭＭＥ１３０にＵＥ１１０のためにローカルコネクティビティを提供するように、ＵＥ１１０が要求し、および／またはＨＳＳ１８０が命令し得る。ＵＥ１１０は次に、例えばＡＰＮに基づいてＤＮＳクエリを実行することによって、ＭＩＰをサポートし、ＡＰＮによって識別されるデータサービスを提供可能である適切なＥＰＳ  ＨＡを発見し得る。
【００４２】
図２から４に示す設計については、ＭＭＥ１３０が動的なゲートウェイ選択を行い得る。別の設計において、サービングゲートウェイ１４０またはＰＤＮゲートウェイ１５０は、動的なゲートウェイ選択を行い得る。さらに別の設計において、指定されたネットワークエンティティが動的なゲートウェイ選択を行い得る。これらの設計については、ＭＭＥ１３０は指定されたネットワークエンティティにＡＰＮおよび好ましいローミングプロトコルを提供することができ、指定されたネットワークエンティティは次に、この情報に基づいて適切なＰＤＮゲートウェイまたはホームエージェントを選択し得る。
【００４３】
図５は、無線通信ネットワークにおけるローミングをサポートするための処理５００の設計を示している。処理５００は、ＭＭＥ、サービングゲートウェイ、ＰＤＮゲートウェイ、ＵＥ、またはその他のエンティティによって行われ得る。
【００４４】
ホームネットワークから在圏ネットワークへローミングしているＵＥのためのＡＰＮおよび好ましいローミングプロトコルが取得され得る（ブロック５１２）。ブロック５１２の一設計において、ＡＰＮはＵＥまたはホームネットワークのＨＳＳから受信され得るし、ＵＥによって要求されるデータサービスと関連付けられ得る。好ましいローミングプロトコルは、ＨＳＳから受信され得るし、ＧＴＰ、ＭＩＰ、ＰＭＩＰ、またはその他のローミングプロトコルであり得る。
【００４５】
ＵＥのためのデータコネクティビティを提供する適切なネットワークエンティティは、ＡＰＮおよび好ましいローミングプロトコルに基づいて決定され得る（ブロック５１４）。ブロック５１４の一設計において、ＡＰＮおよび好ましいローミングプロトコルを備えるＤＮＳクエリが送信され得るし、ネットワークエンティティのアドレスを備えるＤＮＳレスポンスが受信され得る。一設計において、ネットワークエンティティは、好ましいローミングプロトコルがＧＴＰである場合はホームネットワークのＰＤＮゲートウェイであり得るし、好ましいローミングプロトコルがＰＭＩＰまたはＭＩＰである場合はホームネットワークのホームエージェントであり得る。在圏ネットワークまたはホームネットワークのＰＤＮゲートウェイが、好ましいローミングプロトコルに基づいて選択され得るし、ＵＥのためのデータコネクティビティがこのＰＤＮゲートウェイを介して提供される。このＰＤＮゲートウェイは、（ｉ）ＧＴＰが好ましいローミングプロトコルである場合は、ＵＥのためのデータコネクティビティを提供するネットワークエンティティであり得るし、または（ｉｉ）ＰＭＩＰもしくはＭＩＰが好ましいローミングプロトコルである場合は、ＵＥのためのデータコネクティビティを提供するネットワークエンティティと通信し得る。
【００４６】
一設計において、在圏ネットワークのＭＭＥが、ＡＰＮおよび好ましいローミングプロトコルを取得し得る。ＭＭＥは、例えば図２に示すように、ＡＰＮおよび好ましいローミングプロトコルに基づいて（ＵＥのためのデータコネクティビティを提供するネットワークエンティティとして）ホームネットワークのＰＤＮゲートウェイを発見し得る。別の設計において、在圏ネットワークのＰＤＮゲートウェイまたはサービングゲートウェイが、ＡＰＮおよび好ましいローミングプロトコルを取得し得る。ＰＤＮゲートウェイまたはサービングゲートウェイは、例えば図３に示すように、ＡＰＮおよび好ましいローミングプロトコルに基づいて（ＵＥのためのデータコネクティビティを提供するネットワークエンティティとして）ホームネットワークのホームエージェントを発見し得る。さらに別の設計において、ＵＥが、ＡＰＮおよび好ましいローミングプロトコルを取得し得る。ＵＥは、例えば図４に示すように、ＡＰＮおよび好ましいローミングプロトコルに基づいてネットワークエンティティとしてホームネットワークのホームエージェントを発見し得る。
【００４７】
図６は、無線通信ネットワークにおけるローミングをサポートするための装置６００の設計を示している。装置６００は、ホームネットワークから在圏ネットワークへローミングしているＵＥのためのＡＰＮおよび好ましいローミングプロトコルを取得するためのモジュール６１２と、ＡＰＮおよび好ましいローミングプロトコルに基づいてＵＥのためのデータコネクティビティを提供するネットワークエンティティ（例えばＰＤＮゲートウェイまたはホームエージェント）を決定するモジュール６１４とを含む。
【００４８】
図７は、無線通信ネットワークにおけるローミングをサポートするための処理７００の設計を示している。処理７００は、ＭＭＥまたはその他のエンティティによって実行され得る。ホームネットワークから在圏ネットワークへローミングしているＵＥのためのＡＰＮとＧＴＰが好ましいローミングプロトコルであるという表示とが、取得され得る（ブロック７１２）。ブロック７１２の一設計においてＡＰＮは、ＵＥまたはホームネットワークのＨＳＳから受信され得るし、ＧＴＰが好ましいローミングプロトコルであるという表示はＨＳＳから受信され得る。ＵＥのためのデータコネクティビティを提供するホームネットワークのＰＤＮゲートウェイは、ＡＰＮと、ＧＴＰが好ましいローミングプロトコルであるという表示とに基づいて決定され得る（ブロック７１４）。ブロック７１４の一設計において、ＡＰＮと、ＧＴＰが好ましいローミングプロトコルであるという表示とを備えるＤＮＳクエリが送信され得るし、ＰＤＮゲートウェイのアドレスを備えるＤＮＳレスポンスが受信され得る。ＰＤＮゲートウェイのアドレスは、在圏ネットワークのサービングゲートウェイに送信され得る（ブロック７１６）。サービングゲートウェイは、ＵＥにデータを伝送するためにＰＤＮゲートウェイとＧＴＰトンネルを確立し得る。
【００４９】
図８は、無線通信ネットワークにおけるローミングをサポートするための装置８００の設計を示している。装置８００は、ホームネットワークから在圏ネットワークにローミングしているＵＥのためのＡＰＮと、ＧＴＰが好ましいローミングプロトコルであるという表示とを取得するためのモジュール８１２と、このＡＰＮと、ＧＴＰが好ましいローミングプロトコルであるという表示とに基づいてＵＥのためのデータコネクティビティを提供するホームネットワークのＰＤＮゲートウェイを決定するためのモジュール８１４と、このＰＤＮゲートウェイのアドレスを在圏ネットワークのサービングゲートウェイへ送信するためのモジュール８１６とを含む。
【００５０】
図９は、無線通信ネットワークにおけるローミングをサポートするための処理９００の設計を示している。処理９００は、ＭＭＥまたはその他のエンティティによって実行され得る。ホームネットワークから在圏ネットワークへローミングしているＵＥのためのＡＰＮと、ＰＭＩＰが好ましいローミングプロトコルであるという表示とが、取得され得る（ブロック９１２）。ブロック９１２の一設計において、ＡＰＮはＵＥまたはホームネットワークのＨＳＳから受信され得るし、ＰＭＩＰが好ましいローミングプロトコルであるという表示はＨＳＳから受信され得る。ＰＭＩＰが好ましいローミングプロトコルであるという表示に応じて、在圏ネットワークのローカルＰＤＮゲートウェイが選択され得る（ブロック９１４）。ＡＰＮ、ＰＭＩＰが好ましいローミングプロトコルであるという表示、およびローカルＰＤＮゲートウェイのアドレスは、サービングゲートウェイに送信され得る（ブロック９１６）。ローカルＰＤＮゲートウェイまたはサービングゲートウェイは、ＡＰＮと、ＰＭＩＰが好ましいローミングプロトコルであるという表示とに基づいて、ＵＥのためのデータコネクティビティを提供するホームネットワークのホームエージェントを決定し得る。
【００５１】
図１０は、無線通信ネットワークにおけるローミングをサポートするための装置１０００の設計を示している。装置１０００は、ホームネットワークから在圏ネットワークへローミングしているＵＥのためのＡＰＮと、ＰＭＩＰが好ましいローミングプロトコルであるという表示とを取得するためのモジュール１０１２と、ＰＭＩＰが好ましいローミングプロトコルであるという表示に応じて在圏ネットワークのローカルＰＤＮゲートウェイを選択するためのモジュール１０１４と、ＡＰＮ、ＰＭＩＰが好ましいローミングプロトコルであるという表示、およびローカルＰＤＮゲートウェイのアドレスをサービングゲートウェイに送信するためのモジュール１０１６とを含む。
【００５２】
図１１は、無線通信ネットワーク間でローミング中にデータコネクティビティを取得するための処理１１００の設計を示している。処理１１００は、ＵＥまたはその他のエンティティによって実行され得る。ＡＰＮを備えるメッセージはＵＥから在圏ネットワークの第１のネットワークエンティティ（例えばＭＭＥ）に送信され得るが、このＵＥはホームネットワークから在圏ネットワークにローミングしている（ブロック１１１２）。データはホームネットワークの第２のネットワークエンティティを介して交換され得るが、この第２のネットワークエンティティはＵＥのためのＡＰＮおよび好ましいローミングプロトコルに基づいて決定されている（ブロック１１１４）。一設計において、第２のネットワークエンティティは、ＡＰＮと、好ましいローミングプロトコルであるＧＴＰとに基づいて決定されたＰＤＮゲートウェイであり得る。別の設計において、第２のネットワークエンティティは、ＡＰＮと、好ましいローミングプロトコルであるＰＭＩＰもしくはＭＩＰとに基づいて決定されたホームエージェントであり得る。
【００５３】
図１２は、無線通信ネットワーク間でローミング中にデータ接続を取得するための装置１２００の設計を示している。装置１２００は、ＵＥがホームネットワークから在圏ネットワークにローミングして、ＵＥから在圏ネットワークの第１のネットワークエンティティ（例えばＭＭＥ）にＡＰＮを備えるメッセージを送信するためのモジュール１２１２と、第２のネットワークエンティティがＵＥのためのＡＰＮおよび好ましいローミングプロトコルに基づいて決定され、ホームネットワークのこの第２のネットワークエンティティ（例えばＰＤＮゲートウェイまたはホームエージェント）を介してデータを交換するためのモジュール１２１４とを備える。
【００５４】
図１３は、無線通信ネットワーク間でローミング中にデータコネクティビティを取得するための処理１３００の設計を示している。処理１３００は、ＵＥまたはその他のエンティティによって実行され得る。ローカル接続のためのＡＰＮを備えるメッセージが、ＵＥから在圏ネットワークのネットワークエンティティに送信され得る（ブロック１３１２）。ＵＥは、ホームネットワークからこの在圏ネットワークにローミング中であり得る。ネットワークエンティティはＭＭＥであり得るし、メッセージに応じて在圏ネットワークのローカルＰＤＮゲートウェイを選択し得る。
【００５５】
在圏ネットワークのサービングゲートウェイと接続が確立され得る（ブロック１３１４）。サービングゲートウェイは、ＭＭＥによって選択され得るし、ローカルＰＤＮゲートウェイへのトンネルを確立し得る。ＵＥのためのデータコネクティビティを提供するホームネットワークのホームエージェントは、ＡＰＮと、ローミングプロトコルであるＭＩＰとに基づいて決定され得る（ブロック１３１６）。ブロック１３１６の一設計において、ＡＰＮと、ＭＩＰがローミングプロトコルであるという表示とを備えるＤＮＳクエリが送信され得るし、ホームエージェントのアドレスを備えるＤＮＳレスポンスが受信され得る。ホームエージェントとのＭＩＰトンネルが確立され得る（ブロック１３１８）。次に、このＭＩＰトンネル、サービングゲートウェイとの接続、およびサービングゲートウェイとローカルＰＤＮゲートウェイとの間のトンネルを介してデータが交換され得る（ブロック１３２０）。
【００５６】
図１４は、無線通信ネットワーク間でローミング中にデータコネクティビティを取得するための装置１４００の設計を示している。装置１４００は、ホームネットワークから在圏ネットワークにローミングしているＵＥから在圏ネットワークのネットワークエンティティにローカル接続のためのＡＰＮを備えるメッセージを送信するモジュールであって、ネットワークエンティティがこのメッセージに応じて在圏ネットワークのローカルＰＤＮゲートウェイを選択するモジュール１４１２と、在圏ネットワークのサービングゲートウェイと接続を確立するモジュール１４１４と、ＡＰＮおよびローミングプロトコルであるＭＩＰに基づいてＵＥのためのデータコネクティビティを提供するホームネットワークのホームエージェントを決定するモジュール１４１６と、ホームエージェントとＭＩＰトンネルを確立するモジュール１４１８と、ＭＩＰトンネル、サービングゲートウェイとの接続、およびサービングゲートウェイとローカルＰＤＮゲートウェイとの間のトンネルを介してデータを交換するモジュール１４２０とを含む。
【００５７】
図６、８、１０、１２、および１４のモジュールは、プロセッサ、電子デバイス、ハードウェアデバイス、電子コンポーネント、論理回路、メモリ、他、またはその組合せを備え得る。
【００５８】
図１５は、ＵＥ１１０、Ｅ−ＵＴＲＡＮ１２０、ＭＭＥ１３０、サービングゲートウェイもしくはＰＤＮゲートウェイ１３８、およびホームエージェント１６０の設計のブロック図を示している。ゲートウェイ１３８は、図１Ａおよび１Ｂのサービングゲートウェイ１４０、ＰＤＮゲートウェイ１５０、またはＰＤＮゲートウェイ１７０であり得る。簡単にするために、図１５は、（ｉ）ＵＥ１１０については１つのコントローラ／プロセッサ１５１０と、１つのメモリ１５１２と、１つの送信機／受信機（ＴＭＴＲ／ＲＣＶＲ）１５１４とを、（ｉｉ）Ｅ−ＵＴＲＡＮ１２０については１つのコントローラ／プロセッサ１５２０と、１つのメモリ（Ｍｅm）１５２２と、１つの送信機／受信機１５２４と、１つの通信（Ｃｏｍｍ）ユニット１５２６とを、（ｉｉｉ）ＭＭＥ１３０については１つのコントローラ／プロセッサ１５３０と、１つのメモリ１５３２と、１つの通信ユニット１５３４とを、（ｉｖ）ＰＤＮゲートウェイ１３８については１つのコントローラ／プロセッサ１５４０と、１つのメモリ１５４２と、１つの通信ユニット１５４４とを、（ｖ）ホームエージェント１６０については１つのコントローラ／プロセッサ１５５０と、１つのメモリ１５５２と、１つの通信ユニット１５５４とを示している。一般に各エンティティは、いかなる数のコントローラ、プロセッサ、メモリ、送受信機、通信ユニット、他を含み得る。
【００５９】
ダウンリンクでは、Ｅ−ＵＴＲＡＮ１２０のｅＮＢが、そのカバレッジエリア内のＵＥにデータおよびメッセージを送信し得る。データおよびメッセージは、ダウンリンク信号を生成するために、プロセッサ１５２０によって処理され、送信機１５２４によって調整され得るが、このダウンリンク信号はＵＥに送信され得る。ＵＥ１１０では、ＵＥ１１０に送信されたデータおよびメッセージを取得するために、ｅＮＢからのダウンリンク信号がアンテナを介して受信され、受信機１５１４で調整され、プロセッサ１５１０で処理され得る。メモリ１５１２は、ＵＥ１１０のプログラムコードおよびデータを格納し得る。プロセッサ１５１０は、図５の処理５００、図１１の処理１１００、図１３の処理１３００、および／または本願に記載する技術のための他の処理を実行または指示し得る。またプロセッサ１５１０は、図２、３、および４のそれぞれメッセージフロー２００、３００、および４００の中で、ＵＥ１１０のための処理を行うこともできる。
【００６０】
アップリンク上では、ＵＥ１１０はＥ−ＵＴＲＡＮ１２０のｅＮＢにデータおよびメッセージを送信し得る。このデータおよびメッセージは、アップリンク信号を生成するために、プロセッサ１５１０によって処理され、送信機１５１４によって調整され得るが、このアップリンク信号はＵＥに送信され得る。Ｅ−ＵＴＲＡＮ１２０では、ＵＥによって送信されるデータおよびメッセージを取得するために、ＵＥ１１０および他のＵＥからのアップリンク信号が受信機１５２４によって受信及び調整され、さらにプロセッサ１５２０によって処理され得る。メモリ１５２２は、Ｅ−ＵＴＲＡＮ１２０用のプログラムコードおよびデータを格納し得るし、Ｅ−ＵＴＲＡＮ１２０は通信ユニット１５２６を介して他のネットワークエンティティと通信し得る。
【００６１】
ＭＭＥ１３０内では、プロセッサ１５３０はＭＭＥのための処理を行い得るし、メモリ１５３２はＭＭＥ用のプログラムコードおよびデータを格納し得るし、通信ユニット１５３４はＭＭＥを他のエンティティと通信可能にさせ得る。プロセッサ１５３０は、図５の処理５００、図７の処理７００、図９の処理９００、および／または本願に記載する技術のための他の処理を実行または指示し得る。またプロセッサ１５３０は、図２、３、および４のそれぞれメッセージフロー２００、３００、および４００の中で、ＭＭＥ１３０のための処理も行い得る。
【００６２】
サービングゲートウェイまたはＰＤＮゲートウェイ１３８内では、プロセッサ１５４０はゲートウェイのための処理を行い得るし、メモリ１５４２はゲートウェイ用のプログラムコードおよびデータを格納し得るし、通信ユニット１５４４はゲートウェイを他のエンティティと通信可能にさせ得る。プロセッサ１５４０は、図５の処理５００、図７の処理７００、図９の処理９００、および／または本願に記載する技術のための他の処理を実行または指示し得る。またプロセッサ１５４０は、図２、３、および４のそれぞれメッセージフロー２００、３００、および４００の中で、サービングゲートウェイ１４０、ＰＤＮゲートウェイ１５０、またはＰＤＮゲートウェイ１７０のための処理を行うこともできる。
【００６３】
ホームエージェント１６０内では、プロセッサ１５５０はホームエージェントのための処理を行い得るし、メモリ１５５２はホームエージェント用のプログラムコードおよびデータを格納し得るし、通信ユニット１５５４はホームエージェントを他のエンティティと通信可能にさせ得る。プロセッサ１５５０は、図２、３、および４のそれぞれメッセージフロー２００、３００、および４００の中で、ホームエージェント１６０のための処理を行い得る。
【００６４】
情報および信号が多種多様な技術および技法を用いて表現できることを、当業者は理解するであろう。例えば、上記の説明の至る所で参照され得るデータ、命令、コマンド、情報、信号、ビット、シンボル、およびチップは、電圧、電流、電磁波、磁場もしくは磁性粒子、光場もしくは光学粒子、またはその組合せによって表現され得る。
【００６５】
本願の開示と関連して説明した様々な例示的論理ブロック、モジュール、回路、およびアルゴリズムステップは、電子ハードウェア、コンピュータソフトウェア、または両方の組合せとして実装され得ることを、当業者はさらに理解するであろう。ハードウェアおよびソフトウェアのこのような交換可能性をわかりやすく説明するために、様々な例示的コンポーネント、ブロック、モジュール、回路、およびステップは、概してその機能性に関して上記に記載した。係る機能性がハードウェアとして実装されるかまたはソフトウェアとして実装されるかは、特定用途およびシステム全体に課された設計制約によって決まる。当業者は、各特定用途について記載した機能性を様々な方法で実装し得るが、係る実装決定は、本開示の範囲からの逸脱を生じさせると解釈されるべきでない。
【００６６】
本願の開示と関連して説明される様々な例示的論理ブロック、モジュール、および回路は、汎用プロセッサ、ディジタル信号プロセッサ（ＤＳＰ）、特定用途用集積回路（ＡＳＩＣ）、フィールドプログラマブルゲートアレイ（field programmable gate array、ＦＰＧＡ）もしくは他のプログラマブルロジックデバイス（programmable logic device）、ディスクリートのゲートもしくはトランジスタロジック、ディスクリートのハードウェア部品、またはこれらの、本願に記載した機能を行うように設計されたいかなる組合せでも、実装または実行され得る。汎用プロセッサはマイクロプロセッサであり得るが、代替的にプロセッサはいかなる従来のプロセッサ、コントローラ、マイクロコントローラ、または状態機械でもあり得る。プロセッサは、例えばＤＳＰとマイクロプロセッサとの組合せ、複数のマイクロプロセッサ、ＤＳＰコアと連結した１つもしくは複数のマイクロプロセッサ、またはその他のこのような構成など、コンピューティングデバイスの組合せとしても実装され得る。
【００６７】
本願の開示と関連して記載した方法またはアルゴリズムは、直接的にハードウェアにおいて、プロセッサによって実行されるソフトウェアモジュールにおいて、またはこの２つの組合せにおいて、具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られているその他の形態の記憶媒体に、存在し得る。例示的な記憶媒体は、プロセッサがこの記憶媒体から情報を読み取ること、およびこの記憶媒体に情報を書き込むことができるように、プロセッサに結合されている。代替的には、記憶媒体は、プロセッサと一体化され得る。プロセッサおよび記憶媒体は、ＡＳＩＣに存在し得る。ＡＳＩＣは、ユーザ端末に存在し得る。代替的には、プロセッサおよび記憶媒体は、ユーザ端末にディスクリートコンポーネントとして存在し得る。
【００６８】
１つまたは複数の例示的設計において、記載した機能は、ハードウェア、ソフトウェア、ファームウェア、またはこれらのいかなる組合せにも実装され得る。ソフトウェアに実装される場合、機能は、コンピュータ可読媒体上の１つもしくは複数の命令またはコードとして格納または伝送され得る。コンピュータ可読媒体は、ある場所から別の場所へのコンピュータプログラムの転送を容易にするコンピュータ記憶媒体及び通信媒体の両方を含む。記憶媒体は、汎用のコンピュータまたは特殊用途のコンピュータによってアクセス可能ないかなる入手可能な媒体であり得る。限定ではなく例示として、係るコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または所望のプログラムコード手段を命令もしくはデータ構造の形態で搬送もしくは格納するために使用可能であって、汎用のコンピュータもしくは特殊用途のコンピュータまたは汎用のプロセッサもしくは特殊用途用のプロセッサによってアクセス可能な他のいかなる媒体をも含み得る。また、いかなる接続も、厳密にはコンピュータ可読媒体と呼ばれる。例えば、ソフトウェアが、同軸ケーブル、光ファイバケーブル、ツイストペア、ディジタル加入者線（ＤＳＬ）、または赤外線、ラジオ、およびマイクロ波などの無線技術を使用して、ウェブサイト、サーバ、または他のリモートソースから送信される場合、この同軸ケーブル、光ファイバケーブル、ツイストペア、ＤＳＬ、または赤外線、ラジオ波、およびマイクロ波などの無線技術が、媒体の定義に含まれる。本願で使用するように、ディスク（diskおよびdisc）は、コンパクトディスク（compact disc、ＣＤ）、レーザーディスク（登録商標）（laser disc）、光ディスク（optical disc）、ディジタルバーサタイルディスク（digital versatile disc、ＤＶＤ）、フロッピー（登録商標）ディスク（disk）、およびブルーレイディスク（blu-ray disc）を含み、ディスク（disk）は通常データを磁気的に再生し、ディスク（disc）はレーザーを使用してデータを光学的に再生する。上記のものの組合せもまた、コンピュータ可読媒体の範囲内に含まれるべきである。
【００６９】
本開示についての前述の説明は、当業者が本開示を製造または使用できるように提供されている。当業者には本開示への様々な修正が容易に明らかとなるだろうし、本願で定められる包括的な原理は、本開示の趣旨または範囲から逸脱することなく他の変形例に適用され得る。したがって本開示は、本願に記載した実施例および設計に限定されることを意図されておらず、本願に開示される原理および新規な特徴と調和する最も広い範囲を与えられるべきである。
【図１Ａ】
2010535456.tif 000004
【図１Ｂ】
2010535456.tif 000005
【図２】
2010535456.tif 000006
【図３】
2010535456.tif 000007
【図４】
2010535456.tif 000008
【図５】
2010535456.tif 000009
【図６】
2010535456.tif 000010
【図７】
2010535456.tif 000011
【図８】
2010535456.tif 000012
【図９】
2010535456.tif 000013
【図１０】
2010535456.tif 000014
【図１１】
2010535456.tif 000015
【図１２】
2010535456.tif 000016
【図１３】
2010535456.tif 000017
【図１４】
2010535456.tif 000018
【図１５】
2010535456.tif 000019
【国際調査報告】
2010535456.tif 000020
2010535456.tif 000021
2010535456.tif 000022